(57)【要約】【課題】隅棟と谷部とが近接する出入隅を備えた勾配屋根において、隅谷間に屋根葺き材を短くカットして葺設することを要しない、施工性および防水性に優れた屋根葺き構造を提供する。【解決手段】出入隅Ｚを有する勾配屋根の谷部Ｖに沿って、浅いＶ字状の谷樋面３１を有する谷板３を取り付ける。また、谷部Ｖに平行する隅棟Ａに沿って、低い山形の頂面部９１を有する隅棟カバー９を、その片側縁が谷板３の片側の谷樋面３１に被るようにして取り付ける。谷板３および隅棟カバー９と、それらの間に介装される隅谷間カバー７とによって一体的に連続した防水面を形成し、この防水面によって隅谷間の屋根面を被覆する。【選択図】  図５
2019105039.tif 000002
【特許請求の範囲】
【請求項１】
出入隅を有する勾配屋根の谷部に沿って谷板が取り付けられるとともに、
前記谷部に平行する隅棟に沿って、隅棟カバーが、その片側縁を前記谷板に被せるようにして取り付けられたことを特徴とする出入隅の屋根葺き構造。
【請求項２】
請求項１に記載された出入隅の屋根葺き構造において、
前記谷板と前記隅棟カバーとが重なる取り合い箇所に隅谷間カバーが介装されたことを特徴とする出入隅の屋根葺き構造。
【請求項３】
請求項１または２に記載された出入隅の屋根葺き構造において、
前記谷板の谷樋面の有効幅の半分と、前記隅棟カバーの幅の半分との合計が、隅谷間の距離よりも大きいことを特徴とする出入隅の屋根葺き構造。
【発明の詳細な説明】
【技術分野】
【０００１】
本発明は、金属板製の屋根葺き材を用いた勾配屋根の屋根葺き構造に関し、特に、出隅（隅棟）と入隅（谷部）とが近接する部位に適用される屋根葺き構造に関する。
【背景技術】
【０００２】
金属板からなる屋根葺き材を用いた屋根葺き構造には横葺き方式と縦葺き方式とがあるが、縦葺き方式の屋根葺き構造としては、例えば特許文献１に開示されたものが公知である。また、本出願人も、特許文献２、３等に記載された縦葺き方式の屋根葺き構造（屋根葺き材の接続構造）を実用化し、各種建物の屋根に採用している。
【先行技術文献】
【特許文献】
【０００３】
【特許文献１】特開２００１−２８８８５７号公報
【特許文献２】特開２０１３−１３３６０９号公報
【特許文献３】特開２０１６−２０５１２０号公報
【発明の概要】
【発明が解決しようとする課題】
【０００４】
前述のような縦葺き方式の屋根葺き構造を、寄棟屋根や方形屋根を有する建物に適用しようとすると、屋根勾配が山状に接続する隅棟は基本的に、屋根葺き材の上端縁を隅棟に沿って斜めにカットし、その上に隅棟カバーを被せる納まりになる。また、複数の大棟が向きや高さを違えて接続する変形屋根の建物には、屋根勾配が谷状に接続する谷部が形成されるが、その谷部は、谷板（谷樋）の上に、下端縁を谷に沿って斜めにカットした屋根葺き材を重ねる納まりになる（例えば、特許文献１の図２１〜図２６等参照）。このように、屋根の隅棟や谷部では、屋根葺き材に縁部カットや曲げなどの加工を施して、それらを他の部材と取り合いよく葺き重ねる必要がある。これらの作業は、専門的な技能を要するので、屋根葺き工事の施工性を大きく左右する。
【０００５】
しかも、隅棟や谷部（特に谷部）は防水上の弱点になりやすいので、屋根葺き材と他の部材との葺き重ね幅も十分に確保しなければならない。図１は、勾配屋根の一例を示す屋根伏図である。この勾配屋根は、例えば敷地形状が複雑であるなどの事情で、寄棟屋根における桁行方向の軒の一部に小さい出入隅Ｚが形成され、これに伴って大棟Ｒが途中で屈折した形状を有している。図中において、符号Ａが隅棟、符号Ｖが谷部である。
【０００６】
例示形態の屋根における各部の想定寸法は、屋根勾配が１／１０〜２／１０（一寸〜二寸勾配）、屋根葺き材１０１の働き幅が３００〜４００ｍｍ、棟カバー１０２および隅棟カバー１０３の幅が２００〜４００ｍｍ、出入隅の寸法Ｄが４００〜８００ｍｍである。このように出入隅の寸法Ｄが小さい屋根においては、図中に網点で示した隅谷間の屋根面に屋根葺き材１０１を短くカットして精度良く葺き重ねるのがきわめて面倒な作業になる。しかも、短くカットした屋根葺き材１０１と他部材との葺き重ね部分の納まりが窮屈になって、防水上のリスクも増大する。
【０００７】
そこで、本発明は、隅棟と谷部とが近接する出入隅を備えた勾配屋根において、隅谷間に屋根葺き材を短くカットして葺設することを要しない、施工性および防水性に優れた屋根葺き構造を提供するものである。
【課題を解決するための手段】
【０００８】
前述の目的を達成するため、本発明の出入隅の屋根葺き構造は、出入隅を有する勾配屋根の谷部に沿って谷板が取り付けられるとともに、前記谷部に平行する隅棟に沿って、隅棟カバーが、その片側縁を前記谷板に被せるようにして取り付けられた、との基本的構成を採用する。
【０００９】
さらに、本発明の出入隅の屋根葺き構造は、前述の基本的構成に加え、前記谷板と前記隅棟カバーとが重なる取り合い箇所に隅谷間カバーが介装された、との構成を採用する。
【００１０】
さらに、本発明の出入隅の屋根葺き構造は、前記谷板の谷樋面の有効幅の半分と、前記隅棟カバーの幅の半分との合計が、隅谷間の距離よりも大きい、との構成を採用する。
【発明の効果】
【００１１】
前述のように構成される本発明の屋根葺き構造は、谷部に沿って取り付けられる谷板に、隅棟に沿って取付けられる隅棟カバーの片側縁が被さるように構成されているので、隅谷間に屋根葺き材を短くカットして葺設するような面倒な現場作業が不要になって、部材の納まりが全体的に簡素化される。これにより、施工性が大きく改善されるとともに、防水上のリスクも小さくなる。また、出入隅の仕上がりの美観も端整なものになる。
【図面の簡単な説明】
【００１２】
【図１】出入隅を有する勾配屋根の一例を示す屋根伏図である。
【図２】図１の勾配屋根に適用される出入隅の屋根葺き構造を施工手順に沿って示す説明図（１）である。
【図３】図１の勾配屋根に適用される出入隅の屋根葺き構造を施工手順に沿って示す説明図（２）である。
【図４】図１の勾配屋根に適用される出入隅の屋根葺き構造を施工手順に沿って示す説明図（３）である。
【図５】図１の勾配屋根に適用される出入隅の屋根葺き構造を施工手順に沿って示す説明図（４）である。
【図６】軒先唐草の断面図である。
【図７】軒先谷板の斜視図である。
【図８】谷板の断面図である。
【図９】隅棟下地の断面図である。
【図１０】隅谷間下地の断面図である。
【図１１】屋根葺き材の斜視図である。
【図１２】隅谷間カバーの断面図である。
【図１３】隅棟エプロンの断面図である。
【図１４】隅棟カバーの断面図である。
【図１５】最下部に取付けられる隅棟カバーの斜視図である。
【発明を実施するための形態】
【００１３】
以下、本発明の実施の形態について、図面を参照しつつ説明する。
【００１４】
図２〜図５は、図１に示したような勾配屋根の出入隅Ｚに適用される本発明の屋根葺き構造を、施工手順に沿って示す説明図である。各図には、出入隅Ｚ近傍の上面図と、出入隅Ｚの傾斜方向に直交する縦断面図（Ｘ−Ｘ）とを組み合わせて表している。なお、例示の屋根の勾配は１／１０で、出入隅Ｚの寸法Ｄは５００ｍｍである。また、図６〜図１５は、前記屋根葺き構造に採用される個々の部材の形状等を示す図である。
【００１５】
図２に示すように、屋根葺き材を張設するための屋根下地面は、図示しない棟木、軒桁、登り梁、母屋等からなる屋根架構の上面に張設された野地板１１と、その上に隙間なく敷設されたアスファルトルーフィング等からなる下地防水層１２と、によって形成される。
【００１６】
野地板１１の水下側縁部には、金属板からなる軒先唐草２が取り付けられる。軒先唐草２は図６のような断面形状を有する部材で、上縁に水返しハゼ２１と固定片２２とが形成され、固定片２２が野地板１１にビス止め（または釘止め、以下同様）される。出入隅Ｚには、あらかじめ出隅部および入隅部の形状に合わせて上面視Ｌ字形にプレ加工された出隅用唐草２a、入隅用唐草２ｂが、適宜の葺き重ね幅を設けて取り付けられる。出隅用唐草２aおよび入隅用唐草２ｂの上縁には、水返しハゼ２１および固定片２２のない部分が設けられている。
【００１７】
次いで図３に示すように、谷部Ｖに沿って、浅いＶ字状の谷樋面３１を有する谷板３が取り付けられる。最も水下側に取付けられる軒先谷板３ｂは、図７に示すように、谷樋面３１の下端縁が上面視直角Ｖ字形に凹カットされて、入隅用唐草２ｂの前面に被さるように斜め下向きに折曲された形状をなしている。軒先谷板３の水上側に葺き重ねられる谷板３は、図８に示すように、谷樋面３１の両側縁を折返して水返しハゼ３２および固定片３３が形成され、固定片３３が野地板１１にビス止めされる。この谷板３の、水返しハゼ３２を除いた谷樋面３１の有効幅Ｗｂは、約２７０ｍｍである。
【００１８】
また、隅棟Ａには、まず隅棟下地４が取付けられる。隅棟下地４は、図９のような断面形状を有する部材で、山形に屈曲された隅棟支持部４１の両側に基底片４２が張り出し、基底片４２の側縁が上側に折り返されている。隅棟下地４の下端縁は、出隅用唐草２ａの上縁に沿うように、上面視直角Ｖ字状に凸カットされている。この隅棟下地４は、軒先谷板３および谷板３とは数十ｍｍ離れて配置される。
【００１９】
次いで図４に示すように、谷板３と隅棟下地４との間に跨るようにして、隅谷間下地５が取付けられる。隅谷間下地５は、図１０のような断面形状の部材で、後述する屋根葺き材６と同程度の高さを有する本体部５１の谷部Ｖ側に係止片５２が形成され、隅棟Ａ側には固定片５３が張り出している。そして、係止片５２が谷板３の水返しハゼ３２の下側に差し込まれ、固定片５３が隅棟下地４の基底片４２の上に重ねられて、固定片５３が隅棟下地４の基底片４２と一緒に野地板１１にビス止めされる。この隅谷間下地５によって、隅棟下地４と谷板３との隙間が被覆される。
【００２０】
また、この勾配屋根における隅谷間以外の一般部には縦葺き方式の屋根葺き材６が葺設されるが、屋根葺き材６としては、例えば前述の特許文献３に記載されたものが用いられる。その屋根葺き材６は、図１１に示すように、勾配方向を長手とする長矩形の葺き材本体６１と、その両側縁にそれぞれ形成されて他の屋根葺き材６と互いに嵌合する上ハゼ６２および下ハゼ６３と、水下側および水上側の端縁にそれぞれ形成されて他の屋根葺き材６と上下に連結される上継手６４および下継手６５と、を備えている。谷部Ｖ側では、この屋根葺き材６の下端縁が谷部Ｖに沿うように斜めにカットされて下側に折り込まれ、その折込片が谷板３の水返しハゼ３２の下側に差し込まれて固定される。また、隅棟Ａ側では、屋根葺き材６の水下側の上継手６４が軒先唐草２の水返しハゼ２１の下側に差し込まれるとともに、上端縁が隅棟Ａに沿うように斜めにカットされて上側に立て起こされ、その上端縁が隅棟下地４の基底片４２の上に重ねられる。
【００２１】
そして、図５に示すように、隅棟下地４を間に挟んで、隅谷間下地５の上には隅谷間カバー７が重ねられるとともに、屋根葺き材６の上には隅棟エプロン８が重ねられて、それらの上に隅棟カバー９が被せられる。
【００２２】
隅谷間カバー７は、図１２のような断面形状の部材で、隅谷間下地５の本体部５１に重ねられてビス止めされる上面部７１と、上面部７１の谷側の側縁から垂下する側片７２と、上面部７１の隅棟Ａ側の側縁から立ち上がる起立片７３と、を有している。
【００２３】
また、隅棟エプロン８は、図１３のような形状の部材で、階段状の上面部８１と、上面部８１の側縁から垂下する側片８２とを有し、側片８２には屋根葺き材６の上ハゼ６２と下ハゼ６３との嵌合箇所を跨ぐ切欠部８３が形成されている。
【００２４】
隅棟カバー９は、図１４のような断面形状の部材で、低い山形の頂面部９１と、その両側縁から垂下する側面部９２と、その両側に張り出す固定片９３とを有し、固定片９３の側縁は下側に折り重ねられている。最も水下側に設置される隅棟カバー９ａは、図１５に示すように、頂面部９１の下端縁が出隅に合わせて上面視直角Ｖ字形に凸カットされ、その下端縁に、軒先唐草２まで届く軒先垂下片９４がリベット等で接合されている。この隅棟カバー９の幅Ｗａは、約４５０ｍｍである。この隅棟カバー９が隅棟Ａ全体に被せられて、一方の固定片９３は隅谷間カバー７に、他方の固定片９３は隅棟エプロン８および屋根葺き材６の上ハゼ６２と下ハゼ６３との嵌合箇所に、それぞれビス止めされる。これにより、谷板３と隅棟カバー９とが、間に隅谷間カバー７を挟んで一体的に連続した防水面を構成することとなり、この防水面によって隅谷間の屋根面が覆われる。
【００２５】
つまり本発明は、谷部Ｖに沿って配置される谷板３と、隅棟Ａに沿って配置される隅棟カバー９とが互いに重なり合うように、それぞれを一体物として形成することで、隅谷間に屋根葺き材６を葺設せずに済むようにしたものである。谷板３と隅棟カバー９との葺き重ねを可能にするためには、谷板３の水返しハゼ３２を除いた谷樋面３１の有効幅Ｗｂの半分と、隅棟カバー９の幅Ｗａの半分との合計が、隅谷間の距離Ｓ（＝出入隅Ｚの寸法Ｄ／√２）よりもやや大きくなる必要がある。例示の形態では、Ｓ＝５００／√２≒３５４（ｍｍ）に対して、Ｗｂ／２＋Ｗａ／２＝１３５＋２２５＝３６０（ｍｍ）となる寸法設定を採用している。このような設計基準は、目安として、出入隅Ｚの寸法Ｄが１ｍ程度までの変形屋根に対して適用可能である。
【００２６】
こうして、隅谷間に配置する部材の細かい現場加工や部材同士の取り合いを極力減らし、葺き重ね箇所の納まりを全体的に簡素化することで、施工性が大きく改善されるとともに、防水上のリスクも小さくなる。さらに、仕上がりの美観も端整なものになる。
【００２７】
なお、本発明の技術的範囲は、例示した実施の形態によって限定的に解釈されるべきものではなく、特許請求の範囲の記載に基づいて概念的に解釈されるべきものである。例示の形態は一例であり、これと実質的に同様の作用効果が得られる範囲において、各部材の細部の形状、寸法、部材間の取り合い、固定手段等を適宜変更して実施することが可能である。
【００２８】
また、本発明の屋根葺き構造は、部材同士の細部の取り合いを多少改変すれば、縦葺き方式の屋根だけでなく、横葺き方式の屋根にも適用することができる。
【符号の説明】
【００２９】
１１  野地板
１２  下地防水層
２  軒先唐草
２１  水返しハゼ
２２  固定片
２a  入隅用唐草
２ｂ  出隅用唐草
３  谷板
３１  谷樋面
３a  軒先谷板
３２  水返しハゼ
３３  固定片
４  隅棟下地
４１  隅棟支持部
４２  基底片
５  隅谷間下地
５１  本体部
５２  係止片
５３  固定片
６  屋根葺き材
６１  葺き材本体
６２  上ハゼ
６３  下ハゼ
６４  上継手
６５  下継手
７  隅谷間カバー
７１  上面部
７２  側片
７３  起立片
８  隅棟エプロン
８１  上面部
８２  側片
８３  切欠部
９  隅棟カバー
９１  頂面部
９２  側面部
９３  固定片
９４  軒先垂下片
Ａ  隅棟
Ｖ  谷部
Ｒ  大棟
【図１】
2019105039.tif 000003
【図２】
2019105039.tif 000004
【図３】
2019105039.tif 000005
【図４】
2019105039.tif 000006
【図５】
2019105039.tif 000007
【図６】
2019105039.tif 000008
【図７】
2019105039.tif 000009
【図８】
2019105039.tif 000010
【図９】
2019105039.tif 000011
【図１０】
2019105039.tif 000012
【図１１】
2019105039.tif 000013
【図１２】
2019105039.tif 000014
【図１３】
2019105039.tif 000015
【図１４】
2019105039.tif 000016
【図１５】
2019105039.tif 000017
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
出入隅を有する勾配屋根の谷部に沿って谷板が取り付けられるとともに、
前記谷部に平行する隅棟に沿って隅棟カバーが取り付けられる出入隅の屋根葺き構造において、
前記谷板の谷樋面の有効幅の半分と、前記隅棟カバーの幅の半分との合計が、隅谷間の距離よりも大きくなるように形成されて、
前記隅棟カバーが、その片側縁を前記谷板に被せるようにして取り付けられた
ことを特徴とする出入隅の屋根葺き構造。
【請求項２】
請求項１に記載された出入隅の屋根葺き構造において、
前記谷板と前記隅棟カバーとが重なる取り合い箇所に隅谷間下地および隅谷間カバーが介装された
ことを特徴とする出入隅の屋根葺き構造。
【請求項３】
請求項２に記載された出入隅の屋根葺き構造において、
前記隅棟には、前記谷板から離して隅棟下地が取り付けられ、
前記谷板と前記隅棟下地との間に跨るようにして前記隅谷間下地が取り付けられ、
前記隅谷間下地の上に前記隅谷間カバーが重ねられている
ことを特徴とする出入隅の屋根葺き構造。 
【手続補正２】
【補正対象書類名】明細書
【補正対象項目名】０００８
【補正方法】変更
【補正の内容】
【０００８】
前述の目的を達成するため、本発明の出入隅の屋根葺き構造は、出入隅を有する勾配屋根の谷部に沿って谷板が取り付けられるとともに、前記谷部に平行する隅棟に沿って隅棟カバーが取り付けられる出入隅の屋根葺き構造において、前記谷板の谷樋面の有効幅の半分と、前記隅棟カバーの幅の半分との合計が、隅谷間の距離よりも大きくなるように形成されて、前記隅棟カバーが、その片側縁を前記谷板に被せるようにして取り付けられた、との基本的構成を採用する。 
【手続補正３】
【補正対象書類名】明細書
【補正対象項目名】０００９
【補正方法】変更
【補正の内容】
【０００９】
さらに、本発明の出入隅の屋根葺き構造は、前述の基本的構成に加え、前記谷板と前記隅棟カバーとが重なる取り合い箇所に隅谷間下地および隅谷間カバーが介装された、との構成を採用する。 
【手続補正４】
【補正対象書類名】明細書
【補正対象項目名】００１０
【補正方法】変更
【補正の内容】
【００１０】
さらに、本発明の出入隅の屋根葺き構造は、前記隅棟には、前記谷板から離して隅棟下地が取り付けられ、前記谷板と前記隅棟下地との間に跨るようにして前記隅谷間下地が取り付けられ、前記隅谷間下地の上に前記隅谷間カバーが重ねられている、との構成を採用する。